【手続補正書】
【提出日】令和1年7月5日(2019.7.5)
【手続補正１】
【補正対象書類名】特許請求の範囲
【補正対象項目名】全文
【補正方法】変更
【補正の内容】
【特許請求の範囲】
【請求項１】
イメージセンサによって生成された画像データを画像に変換するためのデモザイクシステムであって、前記デモザイクシステムが、
前記イメージセンサのセンサ素子の構成と前記センサ素子のためのフィルタ素子の構成とを示す情報を受信し、
前記センサ素子の構成および前記フィルタ素子の構成に基づいて、部分格子パラメータのセットを生成し、
前記部分格子パラメータのセットに基づいて、変調関数を生成し、
生成された変調関数に基づいて前記画像データを復調して、前記画像データの色度成分および輝度成分を決定し、
決定された色度成分および輝度成分に基づいて、前記画像を生成するように構成された電子ハードウェアプロセッサを備える、
デモザイクシステム。
【請求項２】
前記電子ハードウェアプロセッサが、
前記変調関数に基づいて、構成パラメータのセットを生成し、
前記構成パラメータのセットを使用して、前記画像データから色度成分のセットを抽出し、
前記構成パラメータのセットを使用して、前記色度成分をベースバンド色度成分のセットに復調し、
前記ベースバンド色度成分のセットをそれぞれの搬送波周波数に変調し、
それぞれの搬送波周波数に変調されたベースバンド色度成分のセットを使用して、前記画像データから輝度成分を抽出することによって、
前記画像データを復調するように構成され、
前記画像が、抽出された輝度成分と前記ベースバンド色度成分のセットとに基づいて生成される、
請求項１に記載のシステム。
【請求項３】
前記イメージセンサの構成が、
少なくとも1つのフィルタ素子を備えるフィルタ素子の周期であって、各フィルタ素子がスペクトル範囲を備え、フィルタ素子のアレイが、前記フィルタ素子の周期の繰り返すパターンを備える、フィルタ素子の周期、
前記イメージセンサの対応するセンサ素子のそれぞれの長さの寸法およびそれぞれの幅の寸法と異なる長さの寸法および幅の寸法を有する各フィルタ素子のサイズ、および、
ダイナミックレンジセンサ素子のアレイであって、各ダイナミックレンジセンサ素子が積分時間を有し、前記積分時間が前記対応するダイナミックレンジセンサ素子の感度のレベルを制御する、ダイナミックレンジセンサ素子のアレイのうちの1つまたは複数をさらに備え、
前記変調関数の決定が、前記フィルタ素子の周期、前記各フィルタ素子のサイズ、および前記ダイナミックレンジセンサ素子のアレイのうちの少なくとも1つに基づく、
請求項１に記載のデモザイクシステム。
【請求項４】
前記部分格子パラメータのセットが、
フィルタ素子の1つの周期の中のフィルタ素子の数をそれぞれが表す2つの素子を含む対角方向の表現である格子行列Mと、
前記イメージセンサの1つの周期の中の各フィルタ素子のスペクトル範囲を備える値のセットΨと、
オフセットベクトルのセット{BS}S∈Ψであって、各ベクトルが前記フィルタ素子の周期の中の対応するフィルタ素子のためのxy平面上での座標を備える、オフセットベクトルの集合とを備え、
請求項３に記載のデモザイクシステム。
【請求項５】
前記電子ハードウェアプロセッサが、前記イメージセンサの構成に基づいて変調周波数のセット
【数１】
2018523949.tif 000001
を導出し、ここで、
【数２】
2018523949.tif 000002
であり、
前記変調関数の決定が、導出された変調周波数のセットに基づく、
請求項３に記載のデモザイクシステム。
【請求項６】
前記電子ハードウェアプロセッサが、前記部分格子パラメータに基づいて変調係数
【数３】
2018523949.tif 000003
のセットを導出し、ここで、
【数４】
2018523949.tif 000004
であり、ここで、
【数５】
2018523949.tif 000005
が、前記画像データの空間領域内のxy座標のセットにおける前記変調係数の実数部分を指し、
【数６】
2018523949.tif 000006
が、前記画像データの空間領域内のxy座標のセットにおける前記変調係数の虚数部分を指し、
前記変調関数の決定が変調係数の導出されたセットに基づく、
請求項４に記載のデモザイクシステム。
【請求項７】
変調関数が、少なくとも変調周波数のセットおよび変調係数のセットを使用して決定され、ここで、
【数７】
2018523949.tif 000007
であり、
C1は、シングルプレーンスペクトル画像の第1のカラーチャネルの色度成分であり、
C2は、シングルプレーンスペクトル画像の第2のカラーチャネルの色度成分であり、
【数８】
2018523949.tif 000008
は、複素変調係数
【数９】
2018523949.tif 000009
の振幅および位相をそれぞれ定義する、
請求項１に記載のデモザイクシステム。
【請求項８】
構成パラメータのセットが、
前記イメージセンサの構成に基づいて、前記画像データから前記色度成分のセットを抽出するように構成されたハイパス周波数フィルタのセットと、
少なくとも水平方向、垂直方向、および対角方向における前記画像データのエネルギーレベルを決定するように構成されたエッジ検出フィルタのセットであって、前記エネルギーレベルが近隣のセンサ素子に入射する放射の強度の差を示す、エッジ検出フィルタのセットとを備え、
前記構成パラメータが前記変調関数に基づいて決定される、
請求項１に記載のデモザイクシステム。
【請求項９】
前記電子ハードウェアプロセッサが、前記エッジ検出フィルタのセットに基づいて、ベースバンド色度成分のセットの中の各ベースバンド色度成分のエネルギーレベルを推定するようにさらに構成される、
請求項８に記載のデモザイクシステム。
【請求項１０】
前記電子ハードウェアプロセッサが、別のデバイスからイメージセンサ構成情報を電気的に受信するように構成された外部インターフェースを備える、
請求項１に記載のデモザイクシステム。
【請求項１１】
前記画像データがシングルプレーンスペクトル画像を備え、前記画像が少なくとも1つのスペクトルプレーンを備える、請求項１に記載のデモザイクシステム。
【請求項１２】
イメージセンサによって生成された画像データを第2の画像に変換する方法であって、
前記イメージセンサのセンサ素子の構成と前記センサ素子のためのフィルタ素子の構成とを示す情報を受信するステップと、
前記センサ素子の構成および前記フィルタ素子の構成に基づいて、部分格子パラメータのセットを生成するステップと、
前記部分格子パラメータのセットに基づいて、変調関数を生成するステップと、
生成された変調関数に基づいて前記画像データを復調して、前記画像データの色度成分および輝度成分を決定するステップと、
決定された色度成分および輝度成分に基づいて前記第2の画像を生成するステップとを備える、
方法。
【請求項１３】
前記画像データを復調するステップが、
決定された変調関数に基づいて構成パラメータのセットを生成するステップと、
前記構成パラメータのセットを使用して前記画像データから色度成分のセットを抽出するステップと、
前記構成パラメータのセットを使用して色度成分のセットをベースバンド色度成分のセットに復調するステップと、
前記ベースバンド色度成分のセットをそれぞれの搬送波周波数に変調するステップと、
それぞれの搬送波周波数に変調された前記ベースバンド色度成分のセットを使用して前記画像データから輝度成分を抽出するステップとを備え、
画像の生成が、抽出された輝度成分と前記ベースバンド色度成分のセットとに基づく、
請求項１２に記載の方法。
【請求項１４】
前記イメージセンサの構成が、
少なくとも1つのフィルタ素子を備えるフィルタ素子の周期であって、各フィルタ素子がスペクトル範囲を備え、フィルタ素子のアレイが前記フィルタ素子の周期の繰り返すパターンを備える、フィルタ素子の周期、
前記イメージセンサの対応するセンサ素子のそれぞれの長さの寸法およびそれぞれの幅の寸法と異なる長さの寸法および幅の寸法を有する各フィルタ素子のサイズ、および、
ダイナミックレンジセンサ素子のアレイであって、各ダイナミックレンジセンサ素子が積分時間を有し、前記積分時間が前記対応するダイナミックレンジセンサ素子の感度のレベルを制御する、ダイナミックレンジセンサ素子のアレイのうちの1つまたは複数によって定義され、
前記変調関数の決定が、前記フィルタ素子の周期、前記各フィルタ素子のサイズ、および前記ダイナミックレンジセンサ素子のアレイのうちの少なくとも1つに基づき、
前記部分格子パラメータのセットが、
フィルタ素子の1つの周期の中のフィルタ素子の数をそれぞれが表す2つの素子を含む対角方向の表現である格子行列Mと、
前記イメージセンサの1つの周期の中の各フィルタ素子のスペクトル範囲を備える値のセットΨと、
オフセットベクトルのセット{BS}S∈Ψであって、各ベクトルが前記フィルタ素子の周期の中の対応するフィルタ素子のためのxy平面上での座標を備える、オフセットベクトルのセットとを備える、
請求項１２に記載の方法。
【請求項１５】
実行されると、電子ハードウェアプロセッサに、請求項１２〜１４のいずれか一項に記載の方法を実行させるためのコードを備える非一時的コンピュータ可読記録媒体。